【手続補正書】
【提出日】令和2年6月11日(2020.6.11)
【手続補正１】
【補正対象書類名】特許請求の範囲
【補正対象項目名】全文
【補正方法】変更
【補正の内容】
【特許請求の範囲】
【請求項１】
回転軸と、
前記回転軸に対し、軸方向に隙間をあけて取り付けられた第１及び第２ローラ部と、
前記第１ローラ部及び前記回転軸の間に設けられた第１ワンウェイクラッチ部と、
前記第２ローラ部及び前記回転軸の間に設けられた第２ワンウェイクラッチ部と、
前記隙間に設けられ、前記回転軸に駆動力を伝達する給送ギア部と
を備えたことを特徴とする給送ローラ。
【請求項２】
前記第１ローラ部及び前記第１ワンウェイクラッチ部の間に設けられた第１ホイール部と、
前記第２ローラ部及び前記第２ワンウェイクラッチ部の間に設けられた第２ホイール部と
を備え、
前記給送ギア部には、前記回転軸の軸方向において、前記第１ホイール部又は前記第１ワンウェイクラッチ部が当接可能な第１当接部と、前記第２ホイール部又は前記第２ワンウェイクラッチ部が当接可能な第２当接部とがそれぞれ設けられたことを特徴とする請求項１に記載の給送ローラ。
【請求項３】
複数枚のシートを積載する積載部が設けられた装置本体と、
前記積載部の積載面側に配置され、シートを給送する給送部と、
前記給送部に対向して配置された分離部と、
前記給送部及び分離部の間で分離されたシートを搬送する搬送部と
を備え、
前記給送部は、回転軸と、前記回転軸に対し、軸方向に隙間をあけて取り付けられた第１及び第２ローラ部と、前記第１ローラ部及び前記回転軸の間に設けられた第１ワンウェイクラッチ部と、前記第２ローラ部及び前記回転軸の間に設けられた第２ワンウェイクラッチ部と、前記隙間に設けられ、前記回転軸に駆動力を伝達する給送ギア部とを有することを特徴とするシート搬送装置。
【請求項４】
前記分離部は、前記第１ローラ部及び前記第２ローラ部に対して均等に接圧されたことを特徴とする請求項３に記載のシート搬送装置。
【請求項５】
前記分離部は、前記第１ローラ部及び前記第２ローラ部における前記給送ギア部側の各ローラ端部に対して個別に接圧される分離ローラを有することを特徴とする請求項４に記載のシート搬送装置。
【請求項６】
前記給送部を覆うカバー部材を有し、前記カバー部材を開放することで、前記給送部が前記装置本体から着脱可能になることを特徴とする請求項３から５のいずれか一項に記載のシート搬送装置。
【請求項７】
前記装置本体には、前記回転軸の両端部をそれぞれ受ける軸受部と、前記給送ギア部に連結される駆動ギア部を有する駆動ギア軸と、前記駆動ギア軸を回転駆動する駆動モータとが設けられ、
前記駆動モータは、前記分離部をシート給送方向とは逆方向に回転させると共に前記駆動ギア軸を介して前記給送部をシート給送方向へ回転駆動させ、
前記駆動モータと前記駆動ギア軸との間には、前記駆動モータの駆動力を前記駆動ギア軸に伝達するか否かを切り替えるクラッチ部が設けられたことを特徴とする請求項４から６のいずれか一項に記載のシート搬送装置。
【請求項８】
原稿の有無を検知する原稿検知センサを備え、
前記原稿検知センサは、前記分離部側から前記隙間に入り込むように延設されたことを特徴とする請求項３から７のいずれか一項に記載のシート搬送装置。
【請求項９】
前記給送部は、前記第１ローラ部及び前記第１ワンウェイクラッチ部の間に設けられた第１ホイール部と、前記第２ローラ部及び前記第２ワンウェイクラッチ部の間に設けられた第２ホイール部とを有し、
前記給送ギア部は、前記回転軸の軸方向において、前記第１ホイール部又は第１ワンウェイクラッチ部が当接する第１当接部と、前記第２ホイール部又は前記第２ワンウェイクラッチ部が当接する第２当接部とを有することを特徴とする請求項３から８のいずれか一項に記載のシート搬送装置。
【請求項１０】
前記第１ローラ部は、前記第１ホイール部に対して着脱自在に設けられ、
前記第２ローラ部は、前記第２ホイール部に対して着脱自在に設けられたことを特徴と
する請求項９に記載のシート搬送装置。
【請求項１１】
前記第１ローラ部は、前記第１ホイール部の外周に固定され、前記第１ホイール部は、前記第１ワンウェイクラッチ部の外周に設けた第１コア部に対して着脱自在に設けられ、
前記第２ローラ部は、前記第２ホイール部の外周に固定され、前記第２ホイール部は、前記第２ワンウェイクラッチ部の外周に設けた第２コア部に対して着脱自在に設けられたことを特徴とする請求項１０に記載のシート搬送装置。
【請求項１２】
前記給送ギア部の外径は、前記第１及び第２ローラ部の直径よりも小さく、
前記給送ギア部と前記駆動ギア部とのギア接続部は、前記回転軸の軸方向において前記第１及び第２ローラ部に重なっていることを特徴とする請求項７に記載のシート搬送装置。
【請求項１３】
請求項３から１２のいずれか一項に記載のシート搬送装置を備えたことを特徴とする画像読取装置。
【手続補正２】
【補正対象書類名】明細書
【補正対象項目名】０００７
【補正方法】変更
【補正の内容】
【０００７】
かかる本発明の給送ローラは、回転軸と、前記回転軸に対し、軸方向に隙間をあけて取り付けられた第１及び第２ローラ部と、前記第１ローラ部及び前記回転軸の間に設けられた第１ワンウェイクラッチ部と、前記第２ローラ部及び前記回転軸の間に設けられた第２ワンウェイクラッチ部と、前記隙間に設けられ、前記回転軸に駆動力を伝達する給送ギア部とを備えたことを特徴とする。
【手続補正３】
【補正対象書類名】明細書
【補正対象項目名】０００８
【補正方法】変更
【補正の内容】
【０００８】
また、本発明のシート搬送装置は、複数枚のシートを積載する積載部が設けられた装置本体と、前記積載部の積載面側に配置され、シートを給送する給送部と、前記給送部に対向して配置された分離部と、前記給送部及び分離部の間で分離されたシートを搬送する搬送部とを備え、前記給送部は、回転軸と、前記回転軸に対し、軸方向に隙間をあけて取り付けられた第１及び第２ローラ部と、前記第１ローラ部及び前記回転軸の間に設けられた第１ワンウェイクラッチ部と、前記第２ローラ部及び前記回転軸の間に設けられた第２ワンウェイクラッチ部と、前記隙間に設けられ、前記回転軸に駆動力を伝達する給送ギア部とを有することを特徴とする。
【手続補正４】
【補正対象書類名】明細書
【補正対象項目名】００１４
【補正方法】変更
【補正の内容】
【００１４】
＜給送部＞
図１に示すように、装置本体Ａ１の経路ＲＴに沿って原稿Ｓを給送する給送機構としての第１搬送部１０が設けられている。第１搬送部１０は本実施形態の場合、給送ローラ（給送部）１１０と、給送ローラ１１０に対向配置される分離ローラ（分離部）１２と、を備え、載置台１上の積載面側に配置された原稿Ｓを給送方向（シート給送方向）Ｄ１に一つずつ順次搬送する。
【手続補正５】
【補正対象書類名】明細書
【補正対象項目名】００１７
【補正方法】変更
【補正の内容】
【００１７】
また、給送ローラ１１０は、図４に示すように、例えば、ゴム材料等で形成された２つの給送ローラ部（第１ローラ部及び第２ローラ部）１１がホイール部（第１ホイール部及び第２ホイール部）１１１にそれぞれ個別に装着され、このホイール部１１１がワンウェイクラッチ１１ａを介して個別に給送ローラ軸（回転軸）１１ｂに支持されている。つまり、本実施形態のワンウェイクラッチ１１ａは、左右に別々に設けられた複数の給送ローラ部１１に対してそれぞれ設けられ個々独立した第１ワンウェイクラッチ部及び第２ワンウェイクラッチ部となる。
【手続補正６】
【補正対象書類名】明細書
【補正対象項目名】００５７
【補正方法】変更
【補正の内容】
【００５７】
＜搬送構造＞
図１に示すように、第１搬送部１０の給送方向下流側にある搬送機構としての第２搬送部（搬送部）２０は、搬送ローラ２１と、搬送ローラ２１に従動する従動ローラ２２とを備え、第１搬送部１０から搬送されてきた原稿Ｓをその下流側へ搬送する。搬送ローラ２１はモータ４から駆動力が伝達され、図中実線矢印方向に回転駆動される。従動ローラ２２は搬送ローラ２１に対して一定圧で圧接し、搬送ローラ２１に連れ回る。